(57)【要約】      （修正有）【課題】ペットのモチベーションを維持するため、餌を利用しつつも、不特定の場所に餌をまき散らすことなく、また半自動で特定の場所でのみで作動し、作動後は餌皿の代わりにもなり、持ち運びが容易で屋外でも利用可能なペット用玩具兼半自動給餌器を提供する。【解決手段】底をフラットかつ肉厚にすることで自重により常に底を下にして自立する容器１と、半球状の蓋２と、容器１と蓋２が開閉できるヒンジ４と、ヒンジ４を軸として常に開くようにテンションを保つゴムなどの弾性体をヒンジ４の外側に沿う形で取り付けることができる容器１と蓋２の２か所で１対となるフック３と、ヒンジ４と対称側の容器１側に素材自身の弾性力により前後に可動するようにしたスナップフィット凸部、蓋２側にスナップフィット凹部と餌カスなどの漏れ出し防止のための嵌合フレームを備え、両スナップフィットのかみ合わせにより、容器１と蓋２を閉じた状態を保つようにする。【選択図】図１
2019017260.tif 000002
【特許請求の範囲】
【請求項１】
底がフラットかつ材質に肉厚を持たせることで、自重により常に底が下となり自立する容器１と、容器１の蓋の役割を果たす半球状の蓋２と、容器１、蓋２を開閉できるように結ぶヒンジ４と、容器１、蓋２がヒンジ４を軸として常に開くようにテンションを保つため、ゴムなどの弾性体をヒンジ４の外側に沿う形で取り付けることができる容器１側と蓋２側の２か所で１対となるフック３（同時に小型動物がくわえるためのストラップ掛けの役割を担う）と、ヒンジ４と対称側の容器１側に素材自身の弾性力により前後に可動するようにしたスナップフィット凸部１−１、蓋２側にスナップフィット凹部２−１と餌カスなどの漏れ出し防止のための嵌合フレーム２−２を備え、前記の両スナップフィットのかみ合わせにより、容器１と蓋２を閉じた状態を保つことができるようにする。
容器１の内側には、スナップフィット凸部１−１に直接取り付けるためのツメ５−１を備えた天秤棒５が挿入され、天秤棒５が自らの支点５-３を支点として、可動できるようにした穴１−２と、天秤棒５の可動時に、餌や餌カス、動物のヒゲなどが挟まらないようにレール１−３を備える。
天秤棒５のツメ５−１の対称側には、底面下に磁性体に接したときに、より強い磁力で吸引されるよう、容器１と蓋２が閉じた状態において磁石５−４が底面と平行ではなく、底面より数度ほど角度を持たせて接着剤などで取り付けることができる穴５−２を備える。
前記のような機構からなるペット用玩具兼半自動給餌装置。
【発明の詳細な説明】
【技術分野】
【０００１】
本発明は、外部動力を必要とせず、特定の条件下においてのみ給餌対象の動物によって半自動で作動するペット用の玩具兼給餌器に関するものである。
【背景技術】
【０００２】
従来のペットを運動させたり、狩猟本能を満たすために開発された玩具の内、餌を内包でき、ペットが動かすことで餌が放出される玩具では、不特定の場所で餌を排出し、餌を内包しない玩具ではペットが飽きやすく、据置型の自動給餌器はペットを運動させる機能がない、または弱い。
【発明の概要】
【発明が解決しようとする課題】
【０００３】
室内飼いのペットが増えている中、ペットの運動不足や狩猟本能を満たすことができないことからくる欲求不満などにより、病気や問題行動につながるとされているが、従来のペット用玩具の内、餌を内包しないものでは、ペットのモチベーション維持が困難であることが多く、餌を内包できるものでは、餌を不特定の場所に放出し室内の衛生状態を悪化させる問題があり、据置型の自動給餌器などでペットを遊ばせる機能がついたものでは、運動不足を解消させる目的では不十分であり、かつ高額になる傾向があった。
【課題を解決するための手段】
【０００４】
底がフラットかつ材質に肉厚を持たせることで、自重により常に底が下となり自立する容器１と、容器１の蓋の役割を果たす半球状の蓋２と、容器１、蓋２を開閉できるように結ぶヒンジ４と、容器１、蓋２がヒンジ４を軸として常に開くようにテンションを保つため、ゴムなどの弾性体をヒンジ４の外側に沿う形で取り付けることができる容器１側と蓋２側の２か所で１対となるフック３（同時に小型動物がくわえるためのストラップ掛けの役割を担う）と、ヒンジ４と対称側の容器１側に素材自身の弾性力により前後に可動するようにしたスナップフィット凸部１−１、蓋２側にスナップフィット凹部２−１と餌カスなどの漏れ出し防止のための嵌合フレーム２−２を備え、前記の両スナップフィットのかみ合わせにより、容器１と蓋２を閉じた状態を保つことができるようにする。
容器１の内側には、スナップフィット凸部１−１に直接取り付けるためのツメ５−１を備えた天秤棒５が挿入され、天秤棒５が自らの支点５-３を支点として、可動できるようにした穴１−２と、天秤棒５の可動時に、餌や餌カス、動物のヒゲなどが挟まらないようにレール１−３を備える。
天秤棒５のツメ５−１の対称側には、底面下に磁性体に接したときに、より強い磁力で吸引されるよう、容器１と蓋２が閉じた状態において磁石５−４が底面と平行ではなく、底面より数度ほど角度を持たせて接着剤などで取り付けることができる穴５−２を備える。
前記のような機構からなるペット用玩具兼半自動給餌装置。
【発明の効果】
【０００５】
ペットのモチベーションを維持するため、餌を利用しつつも、不特定の場所に餌をまき散らすことなく、また外部動力を必要とせず半自動で特定の場所でのみ作動し、作動後は餌皿の変わりになるため衛生面にも優れ、かつ小型、丈夫で用意に持ち運びもでき、屋内はもちろん屋外でも使用可能となる。
【０００６】
構造が単純であるため、飼い主自ら清掃、メンテナンスが可能で、故障などのトラブルも発生しにくく安定して給餌や運動不足解消・狩猟本能を満たすための手軽なツールとして使え、部品点数も少なく安価で供給・販売が可能である。
【図面の簡単な説明】
【０００７】
【図１】本体外観
【図２】容器１断面図
【図３】本体の展開立体図
【図４】天秤棒５の立体図
【図５】作動図
【発明を実施するための形態】
【０００８】
以下、本発明の実施の形態を図１と５に基づいて説明する。
【０００９】
ペットの運動不足解消のためには、容器１に少量の餌を入れ、蓋２を閉じて、投げる・転がすなどしてペットに取ってこさせる動作を繰り返して運動を促し、給餌を目的とした場合は、容器１に給餌分の餌を入れ、ペットが空腹時に自らの視覚、嗅覚、聴覚などを駆使して捜し出せるような場所に隠しておく。複数の本体が使える場合は、本体の数だけ餌量を分配して入れ、前記のような不特定の場所に隠しておくことで効果を高めることができる。また本体をくわえられない小型動物の場合、フック３もしくはフック３に取り付けた弾性体に動物が直接くわえられるストラップや布などを取り付けておき、運搬しやすいようにしておく。
【００１０】
容器１と蓋２の開口部が閉ざされた非作動時はスナップフィット凸１−１とスナップフィット凹部２−１とがかみ合った状態を保ち、本体をステンレスなどの磁性体にペットが運搬することで、起き上がりこぼしの原理で、本体底部が底辺となり、天秤棒５の磁石５−４が底面の磁性体に吸引されると同時に、てこの支点５−３の対称側のツメ５−１がスナップフィット凸１−１とともに内側に引かれ、スナップフィット凹部２−１とのかみ合いが外れ、フック３に取り付けられた弾性体の働きにより、ヒンジ４を軸として自動的に蓋２が開き、内包した餌が現れ、容器１が皿の役割を果たし、給餌ができる状態となる。
【符号の説明】
【００１１】
１         容器
１−１   スナップフィット凸部
１−２   穴
１−３   レール
２          蓋
２−１   スナップフィット凹部
２−２  嵌合フレーム
３      フック
４      ヒンジ
５      天秤棒
５−１  ツメ
５−２  穴
５−３  支点
５−４  磁石
【図１】
2019017260.tif 000003
【図２】
2019017260.tif 000004
【図３】
2019017260.tif 000005
【図４】
2019017260.tif 000006
【図５】
2019017260.tif 000007